(57)【要約】【課題】収納キャビネット内に設けたコンセントの配線処理を向上させることができる収納キャビネットの配線構造を提供することを課題とする。【解決手段】キャビネット本体２の底板２３下方に設けられる台輪部２４を備え、壁面１１に沿って設置される収納キャビネット１の配線構造であって、前記収納キャビネットは、前記キャビネット本体内の奥方に上下方向に設けられたダクト部９と、該ダクト部に取り付けられ前記キャビネット本体内に収納される電気機器７の機器配線７０が接続されるコンセント８と、前記キャビネット本体の前記台輪部領域に形成された壁側取り出し口２２ａとを有し、前記コンセントへ電力を供給するためのコンセント配線８０は、前記ダクト部の下端から前記台輪部の空洞スペース２５内に引き込まれ、前記壁側取り出し口から前記壁面側へと配線されることを特徴とする。【選択図】図１
2010252857.tif 000002
【特許請求の範囲】
【請求項１】
キャビネット本体の底板下方に設けられる台輪部を備え、壁面に沿って設置される収納キャビネットの配線構造であって、
前記収納キャビネットは、前記キャビネット本体内の奥方に上下方向に設けられたダクト部と、該ダクト部に取り付けられ前記キャビネット本体内に収納される電気機器の機器配線が接続されるコンセントと、前記キャビネット本体の前記台輪部領域に形成された壁側取り出し口とを有し、前記コンセントへ電力を供給するためのコンセント配線は、前記ダクト部の下端から前記台輪部の空洞スペース内に引き込まれ、前記壁側取り出し口から前記壁面側へと配線されることを特徴とする収納キャビネットの配線構造。
【請求項２】
請求項１において、
前記ダクト部が、前記キャビネット本体内の奥方角部に設けられていることを特徴とする収納キャビネットの配線構造。
【請求項３】
請求項１又は請求項２において、
前記収納キャビネットは、組み合わせて並列に複数配置され、
前記キャビネット本体同士の隣合う側板の前記台輪部領域には、前記コンセント配線が通じる連通開口部が形成されていることを特徴とする収納キャビネットの配線構造。
【発明の詳細な説明】
【技術分野】
【０００１】
本発明は、収納キャビネットに収納される電気機器の配線構造に関し、詳しくはキャビネット本体の底板下方に設けられる台輪部を備え、壁面に沿って設置される収納キャビネットの配線構造に関する。
【背景技術】
【０００２】
従来より、ＡＶ（オーディオヴィジュアル）機器或いは照明器具などの電気機器を収納できる収納キャビネットとしては、電気機器の機器配線を体裁よく処理できるよう配線機能を持たせたものが知られている。
下記特許文献１には、ＡＶ機器用キャビネットが開示されており、ここには背板をキャビネットの後端よりやや前方に配置し、コンセントや機器配線を壁面と背板との間にできる空間に収容できるキャビネットが記載されている。また下記特許文献１には機器配線を引き込む円形の配線孔が、キャビネットの天板後端の中央にひとつ形成されているものが記載されている。これによれば、ＡＶ機器の機器配線を配線孔に引き込み、壁面と背板との間の空間に機器配線を収容できるので、機器配線が外からみえず外観のよいものとすることができる。
【先行技術文献】
【特許文献】
【０００３】
【特許文献１】特開２００１−８７５４号公報
【発明の概要】
【発明が解決しようとする課題】
【０００４】
機器配線の本数が少ない場合や配線孔のすぐ近くにＡＶ機器が置かれているような場合などは、特許文献１に記載のように配線孔が天板に１箇所設けられていれば十分である。
しかしながら、複数の電気機器が複数の棚板の上に収納されている場合は、ひとつの配線孔のみでは対応できず、またＡＶ機器が載置されている場所と配線孔が形成されているところが離れている場合は別途新たに配線孔を形成しなければならない。
【０００５】
そこで収納キャビネット内に電気機器への電力の供給源となるコンセントを設けることが考えられる。これによれば、電気機器の機器配線を壁側などに設けられた一次電源となるコンセントまで引き込むことなく、収納キャビネット内のコンセントに引き込めばよい。
しかしながら、この場合は収納キャビネット内に設けられたコンセントに電力を供給するためにコンセント配線を上述の一次電源に接続する必要があるので、コンセント配線の処理が問題となる。
このとき、一次電源に接続されるコンセント配線の壁面側への取り出し口を、キャビネット本体の背板に形成しておくことが多いが、収納キャビネットが設置される現場の一次電源が設けられている位置によっては、現場で背板の加工を行う必要があった。
そこでコンセントと一次電源の間に配線されるコンセント配線を長めに構成することが考えられるが、この場合は余剰したコンセント配線を集約する場所の確保が問題となる。
【０００６】
本発明は、上記実情に鑑みなされたものであり、収納キャビネット内の配線処理を向上させることができる収納キャビネットの配線構造を提供することを課題とする。
【課題を解決するための手段】
【０００７】
請求項１の発明に係る収納キャビネットの配線構造は、キャビネット本体の底板下方に設けられる台輪部を備え、壁面に沿って設置される収納キャビネットの配線構造であって、前記収納キャビネットは、前記キャビネット本体内の奥方に上下方向に設けられたダクト部と、該ダクト部に取り付けられ前記キャビネット本体内に収納される電気機器の機器配線が接続されるコンセントと、前記キャビネット本体の前記台輪部領域に形成された壁側取り出し口とを有し、前記コンセントへ電力を供給するためのコンセント配線は、前記ダクト部の下端から前記台輪部の空洞スペース内に引き込まれ、前記壁側取り出し口から前記壁面側へと配線されることを特徴とする。
ここでいう電気機器は電力の供給を要する機器をいい、上述のＡＶ機器や照明器具に限らず、端末装置、プリンタなどであってもよい。
【０００８】
本発明において、前記ダクト部がキャビネット本体内の奥方角部に設けられているものとしてもよい。
【０００９】
また本発明において、前記収納キャビネットは、組み合わせて並列に複数配置され、前記キャビネット本体同士の隣合う側板の前記台輪部領域には、前記コンセント配線が通じる連通開口部が形成されているものとしてもよい。
【発明の効果】
【００１０】
本発明に係る収納キャビネットの配線構造によれば、キャビネット本体内に設けられたコンセントへ電源を供給するためのコンセント配線は、ダクト部内を通じダクト部の下端から台輪部の空洞スペース内に引き込まれ、壁面取り出し口から壁面側へと配線することができる。よって、キャビネット本体内に設けられたコンセントのコンセント配線は、台輪部の空洞スペース内に集約することができ、余剰したコンセント配線をまとめておくことができる。
このようにコンセント配線を長く構成することができるので、収納キャビネットの設置場所によって一次電源の設置箇所と収納キャビネットの設置場所とが離れていても配線可能となり、現場で背板に壁面取り出し口を形成する必要がなくなる。よって、予めコンセント配線を壁面側に取り出すための壁面取り出し口を例えば背板に複数形成しておく必要がなく、台輪部領域に形成された壁面取り出し口からコンセント配線を壁面側へ配線することができる。
【００１１】
本発明において、前記ダクト部がキャビネット本体内の奥方角部に設けられているものとしてもよい。これによれば、キャビネット本体内の奥方角部にダクト部が設けられているので、収納キャビネットの手前側からみたときダクト部が目立たず、またダクト部がキャビネット本体内に収容された収容物の邪魔にならない。
【００１２】
本発明において、複数配置された収納キャビネットのキャビネット本体同士の隣合う側板の前記台輪部領域には、前記コンセント配線が通じる連通開口部が形成されているものとすることができる。これによれば、ひとつの壁側取り出し口から引き込んだコンセント配線を隣合う収納キャビネット間を跨いで這わせることができるので、複数配置された収納キャビネット内のどこへでも配線することができる。
【図面の簡単な説明】
【００１３】
【図１】本発明に係る収納キャビネットの配線構造における実施形態を模式的に示す概略正面図である。
【図２】同収納キャビネットの配線構造を模式的に示す概略縦断面図であり、図４のＸ−Ｘ線断面図である。
【図３】同収納キャビネットの配線構造を模式的に示す概略横断面図であり、図２のＹ―Ｙ線断面図である。
【図４】同収納キャビネットの配線構造が採用されたシステムキャビネットの全体斜視図の一例である。
【発明を実施するための形態】
【００１４】
以下に本発明の実施の形態について、図面に基づいて説明する。
なお、以下の実施形態において指す前後方向は、収納キャビネットの正面で対面した使用者を基準に手前側を前、奥側を後とし、その前後方向に直交する方向を左右方向として説明する。
【００１５】
本発明の実施形態について図１〜図４を参照しながら説明する。
本実施形態に係る収納キャビネット１は、高さの異なる２個の収納キャビネット１によりシステムキャビネットＳを構成し、それぞれの収納キャビネット１は互いに隣合う側板２１が接するよう壁面１１に沿って床面１０の上に設置される。高さが高い方の収納キャビネット１（図１の紙面右側）の上方は、開閉自在に構成された扉体５を備えた収納部、その下方は扉体のない前方が開口され棚板４を備えたオープンラック式の収納部となっている。高さが低い方の収納キャビネット１（図１の紙面左側）は、棚板４を備えたオープンラック式の収納部で構成されている。上述のそれぞれの収納部は、ＤＶＤデッキ、アンプ、スピーカーなどのＡＶ機器や照明器具などの電気機器の他、本や小物などが収納できる収納空間となっており、その構成は図例に限らず引出しを備えたものとしてもよいし、左右方向に空間を仕切る仕切板を備えたものとしてもよい。
【００１６】
以下ではこの２個の収納キャビネット１に基いて、本実施形態を説明するが、高さが高い方の収納キャビネット１については、主に下方の扉体のない収納部に置かれた電気機器７の配線構造について説明する。またここでは説明のため、電気機器７に電力の供給を受けるための配線を機器配線といい、接続された電気機器７に電力を供給するためのコンセント８の配線をコンセント配線８０という。さらに、電気機器７へ電力供給を行う一例として、コンセント配線８０を壁面１１などに設けられるコンセント（不図示：一次電源）に接続することにより、コンセント８に接続された電気機器７に電力の供給を行う例を説明するが、この構成に限定されるものではない。
【００１７】
高さが低い方の収納キャビネット１のキャビネット本体２は、上部に配された天板２０、左右に配された側板２１と、背面側に配された背板２２と、底部に配された底板２３とを備えて構成され、前方に開口する箱状とされている。底板２３の下部領域には台輪部２４が構成されており、底板２３、台輪部２４、背板２２の台輪部領域及び床面１０とにより台輪部２４内は、空洞スペース２５が形成されている。天板２０の上には、カウンター３が載置されており、カウンター３は、キャビネット本体２の左右幅に合わせて形成され、集成材或いは無垢の木などからなる木質材料の板体で構成される。
【００１８】
キャビネット本体２内には、キャビネット本体２内を上下に仕切る一枚の棚板４が設けられ、上段部４０と下段部４１とを構成している（図１、図４参照）。図例のものは上段部４０を構成する棚板４の上と下段部４１を構成する底板２３の上に電気機器７がそれぞれ置かれている。
棚板４は、該棚板４の奥行き寸法がキャビネット本体２の奥行き寸法の内寸より短く形成されており、このように形成された棚板４は、その前端縁４ｂが側板２１の手前側と略面一となるよう設置される。棚板４の後端縁４ａの後方に形成された空間には、棚板４の上に置かれた電気機器７の機器配線７０を受ける配線受け部６が設けられる。
【００１９】
配線受け部６は、棚板４の後端縁４ａに沿うよう横長に形成され、断面形状が凹型のレール部材とされる。図３に示すように配線受け部６は、前側部６０と、後側部６１と、凹所６２とを備えており、前側部６０が棚板４の後端縁４ａに接するように取り付けられる。取り付け方法は特に限定されるものではないが、接着剤或いは両面テープなどで接着してもよいし、ビスなどで固着してもよい。また図例のように棚板４が固定式の場合は、背板２２側に配線受け部６が固着されていてもよい。
配線受け部６の設置状態における左右幅の寸法（長手方向の寸法）は、棚板４の左右幅と同一ではなく、後端縁４ａの後方に形成される空間の角部にダクト部９が配設されるため、ダクト部９が設置される空間が残せるように形成される。すなわち、棚板４の左右幅からダクト部９の設置スペース幅を除いた幅が配線受け部６の左右幅の寸法となる（図３参照）。
前側部６０及び後側部６１は、棚板４の厚み寸法と略同寸法に形成され、棚板４の手前側からは配線受け部６が目立たないように形成されている。
配線受け部６の凹所６２には、配線受け部６に引き込んだ電気機器７の機器配線７０を集約することができる。
よって、図３に示すように余剰した機器配線７０を配線受け部６にまとめて収容することができ、棚板４の上をすっきりと構成することができる。
なお、ここでは上段部４０にのみ配線受け部６を設けた例について図示し説明しているが、下段部４１にも配線受け部６を設けてもよいことはいうまでもない。
【００２０】
キャビネット本体２内の奥方角部には、上下方向にダクト部９が設けられ、該ダクト部９には、上段部４０の電気機器７及び下段部４１の電気機器７のそれぞれに電力の供給を行うために機器配線７０が接続されるコンセント８が上下に１個ずつ、計２個取り付けられている。
ダクト部９には、電気機器７に電力の供給を行うために機器配線７０が接続されるコンセント８が上下位置変更可能に且つ、コンセント８を複数取り付け可能とされている。
図３のＡ部拡大図は、コンセント８と機器配線７０の先端に設けられたプラグ７１との接続関係を説明するため、プラグ７１をコンセント８に差し込む前の状態を示している。図中、７１ａはプラグ７１の刃、８ａはコンセント８の差込口を示している。
【００２１】
ダクト部９は、断面形状が中空の角柱状に形成されており、コンセント８を嵌め込むために一側面に上下方向（長手方向）に形成された開口部分を備えたダクト本体９３と、ダクト本体９３の開口部分を塞ぐカバー９１とを備えている。ダクト本体９３の長手方向に形成された上述の開口部分は、上述のカバー９１とコンセント８とが着脱自在に嵌め込まれる嵌め込み溝９２となっている。
ダクト部９に取り付けたコンセント８のコンセント配線８０は、図１に示すようにダクト部９内をつたってダクト部９の下端から空洞スペース２５内に引き込まれ、背板２２の台輪部領域に形成された壁側取り出し口２２ａから壁面１１などに設けられたコンセントへと配線される。この配線処理については後に詳しく説明する。
【００２２】
高さが高い方の収納キャビネット１のキャビネット本体２は、上述の収納キャビネット１とは高さが異なるが、上部に配された天板２０（図４参照）と、左右に配された側板２１と、背面側に配された背板２２と、底部に配された底板２３とを備えて構成され、前方に開口する箱状とされている点は同様である。上述したように収納キャビネット１の上方は、開閉自在に構成された扉体５を備えた収納部、その下方は扉体のない前方が開口され棚板４を備えたオープンラック式の収納部となっている。底板２３の下部領域には台輪部２４が構成されており、底板２３、台輪部２４、背板２２の台輪部領域及び床面１０とにより台輪部２４内は、空洞スペース２５が形成されている点は高さが低い方の収納キャビネット１と同様である。
【００２３】
高さが高い方のキャビネット本体２内にも、キャビネット本体２内を複数の区画に仕切る棚板が設けられており、少なくとも扉体５を備えていない下方の収納部には、上下に仕切る一枚の棚板４が設けられ、オープンラックの上段部４０と下段部４１とを構成している（図１、図４参照）。そして図例のものは上段部４０を構成する棚板４の上に電気機器７が置かれている。
棚板４の設置構成は、低い方の収納キャビネット１と同様であり、該棚板４の奥行き寸法がキャビネット本体２の奥行き寸法の内寸より短く形成されており、このように形成された棚板４は、その前端縁４ｂが側板２１の手前側と略面一となるよう設置される（図４参照）。棚板４の後端縁４ａの後方に形成された空間には、棚板４の上に置かれた電気機器７の機器配線７０を受ける配線受け部６が設けられる。配線受け部６の構成は、低い方の収納キャビネット１と同様であるので、説明を省略する。
【００２４】
キャビネット本体２内の奥方角部には、図４の点線で示すように上下方向にダクト部９が設けられ、該ダクト部９には、上段部４０に置かれた電気機器７に電力の供給を行うため、電気機器７の近傍に機器配線７０が接続されるコンセント８が少なくとも１個取り付けられている。コンセント８はダクト部９に対して上下位置変更可能且つ複数取り付け可能とされている点は、低い方の収納キャビネット１と同様である。
コンセント８のコンセント配線８０は、ダクト部９内に這わせた後、ダクト部９の下端から台輪部２４の空洞スペース２５内を引き込まれ、側板２１に形成された連通開口部２１ａを通じ、低い方の収納キャビネット１の空洞スペース２５内に引き込まれた後、背板２２の台輪部領域に形成された壁側取り出し口２２ａから壁面１１などに設けられたコンセントへと配線される。ここでのコンセント配線８０の配線処理についても、後に詳しく説明する。
【００２５】
以上のように、収納キャビネット１のそれぞれには、キャビネット本体２内の奥方角部にダクト部９が設けられているので、収納キャビネット１の手前側からみたときダクト部９が目立たず、ダクト部９がキャビネット本体２に収容された収容物の邪魔にならない。
またこれによれば、電力供給のためのコンセント８をダクト部９の任意の場所に取り付けることができる。よって、電気機器７の近傍にあるダクト部９にコンセント８を取り付ければ、機器配線７０を電気機器７から遠く離れたコンセントまで引き込む必要がなく、機器配線７０の接続が非常に容易なものとなる。
更にカバー９１によって、ダクト部９内をつたうコンセント配線８０がキャビネット本体２側から見えず、ダクト部９内への埃などの侵入を防ぐとともに、外観をすっきりと構成することができる。
【００２６】
なお、ここではそれぞれの収納キャビネット１の棚板４としては、固定式の棚板４の例を示しているが、これに限定されず、側板２１の上下方向に複数の孔部を設け、そこにダボ（不図示）を挿入して棚板４の高さ位置が可変可能に取り付けられるものとしてもよい。棚板４の数も１枚に限定されず複数枚の棚板４を設けたものとしてもよい。
このような場合も、ダクト部９が上下方向に設けられているので、棚板４の高さ位置に応じてコンセント８の取り付け位置を上下方向に変えることができる。よって棚板４の枚数、電気機器７の数に応じてコンセント８の数も増設することができ、キャビネット本体２内のどこからでもコンセント８から電力の供給を受けることができる。
【００２７】
またダクト部９の形状、構成は図例に限定されず、ダクト部９に導線が配されたいわゆる配線ダクトとしてもよい。この場合も、ダクト部９に対して上下位置変更可能に取り付けることができる。またこの場合はコンセント８には配線ダクトの両側に配された導線から電力供給がなされるため、コンセント８のコンセント配線８０が存在しないことになる。よって、配線ダクトを用いる場合は、コンセント配線８０をダクト部９内に配線する手間が省ける。
さらに図例では１つのコンセント８の差込口８ａが１つの場合を示しているが、これに限定されず、１つのコンセント８に複数の差込口８ａを備えたものとしてもよい。これによれば、例えば上段部４０に複数の電気機器７を設置することができる。
【００２８】
次に、コンセント配線８０が配線される連通開口部２１ａ及び壁側取り出し口２２ａについて説明する。
上述したように、低い方の収納キャビネット１と高い方の収納キャビネット１の隣合う側板２１の台輪部領域には、コンセント配線８０が通じる方形の連通開口部２１ａが形成されている。連通開口部２１ａの形成箇所は図２に示すように側板２１の台輪部領域の奥側（設置状態における壁面１１側）に限定されるものではないが、側板２１の台輪部領域の奥側に形成すれば、キャビネット本体２の奥側に設けられたダクト部９下端から空洞スペース２５に引き込まれるコンセント配線８０の配線処理がし易くなる。
【００２９】
低い方の収納キャビネット１の背板２２の台輪部領域には円形の壁側取り出し口２２ａが１個形成されている。図例の壁側取り出し口２２ａは低い方の収納キャビネット１の背板２２の台輪部領域において、中央より若干左側に形成されているが、これに限定されるものではない。
例えば壁側取り出し口２２ａは壁面１１に設けられた一次電源となるコンセントが台輪部領域に露出するようコンセントの大きさより一回り大きい方形に形成されたものとしてもよい。
また背板２２の縦方向の長さを天板２０から底板２３までとし、背板２２の下部（台輪部領域）の全域が壁側取り出し口を構成するようにしてもよい。
図例のものは、壁面１１などに設けられるコンセントを図示しておらず、収納キャビネット１は壁面１１との間に若干の隙間を持たせて設置されている例を示しているが、これらによれば、コンセントに接続されるコンセント配線８０のプラグ（不図示）が邪魔にならず、壁面１１に収納キャビネット１の背板２２を近接させて設置することができる。
なお、連通開口部２１ａ及び壁側取り出し口２２ａの形状は図例に限定されるものではなく、要は複数のコンセント配線８０を通じさせることができる形状であればよい。また壁側取り出し口２２ａの形成箇所も低い方の収納キャビネット１に限定されるものではなく、高い方の収納キャビネット１の台輪部領域に形成してもよい。
【００３０】
次に、以上により構成される収納キャビネット１の配線構造における電気機器７の配線手順及びコンセント配線８０の配線処理手順を説明する。ここではすでにキャビネット本体２内に棚板４、配線受け部６及びダクト部９が設けられているとして説明する。
まず低い方の収納キャビネット１のダクト部９の嵌め込み溝９２を開口状態とし、その状態でコンセント配線８０をダクト部９の中空部９０内に通す。ダクト部９の中空部９０を這わせたコンセント配線８０を、ダクト部９の下端から台輪部２４の空洞スペース２５内に引き込んでおく。この状態で、配線受け部６の近傍に位置するダクト部９の高さ位置の嵌め込み溝９２に、上段部４０側のコンセント８を嵌め込む。同じ要領で下段部４１の電気機器７が置かれる底板２３の近傍に位置するダクト部９にコンセント８を嵌め込み、コンセント配線８０をダクト部９の下端から台輪部２４の空洞スペース２５内を引き込んでおく。これで空洞スペース２５内には、２本のコンセント配線８０が引き込まれた状態となる。
【００３１】
続いて高い方の収納キャビネット１も同じ要領でダクト部９の中空部９０内にコンセント配線８０を通し、中空部９０を這わせたコンセント配線８０を、ダクト部９の下端から台輪部２４の空洞スペース２５内に引き込んでおく。この状態で、配線受け部６の近傍に位置するダクト部９の高さ位置の嵌め込み溝９２に、上段部４０側のコンセント８を嵌め込む。高い方の収納キャビネット１の空洞スペース２５内に引き込んだコンセント配線８０を連通開口部２１ａを通じて低い方の収納キャビネット１の空洞スペース２５に引き込む。これにより、低い方の収納キャビネット１の空洞スペース２５には、３本のコンセント配線８０が引き込まれた状態となる。
そして背板２２の台輪部領域に形成された壁側取り出し口２２ａから３本のコンセント配線８０を引き出し、壁面１１などに設けられたコンセントに接続する。
以上により、コンセント８が一次電源と電気的に接続され、キャビネット本体２に設けられたコンセント８からの電力供給が可能な状態となる。コンセント８の取り付けが完了したら、ダクト部９の嵌め込み溝９２にカバー９１を嵌め入れる。コンセント８の取り付けが完了したら、収納キャビネット１を壁面１１に近接させて設置する。
ここで一次電源とコンセント配線８０の接続は上述に限定されるものではない。例えば、空洞スペース２５内に一次電源と接続され、複数の差込口を備えたテーブルタップ（不図示）を設け、空洞スペース２５内に引き込んだ３本のコンセント配線８０をテーブルタップに接続する構成としてもよい。この場合も、空洞スペース２５が配線処理スペースとなるので、収納キャビネット１の外観性を損なうことがない。
【００３２】
次に棚板４或いは底板２３に電気機器７を置く。このとき、棚板４の奥方には配線受け部６が設けられているので、電気機器７の裏側に配されている機器配線７０のプラグ７１が、コンセント８の差込口８ａ側へ向くように（図３、Ａ部大図参照）機器配線７を集約し、配線受け部６の凹所６２に余剰した機器配線７を収容する（図１、図３参照）。ここで先に機器配線７０の余剰した部分をまとめて配線受け部６の凹所６２に収容してから電気機器７を棚板４の上に置いてもよい。
そしてプラグ７１の刃７１ａをコンセント８の差込口８ａに差し込むと電気的に接続され電気機器７に電力を供給することができる。
【００３３】
これによれば、コンセント配線８０はダクト部９内をつたってダクト部９の下端へ引き込んだ後、空洞スペース２５内に引き込むよう構成されているので、コンセント配線８０に長く余剰した部分があっても、その余剰部分を空洞スペース２５内に集約しておくことができる。この空洞スペース２５の手前側は台輪部２４で塞がれているので、外側からみえることがなく、余剰したコンセント配線８０が集約されていても、収納キャビネット１の外観性を損なうことがない。
このようにコンセント配線を長く構成することができるので、収納キャビネット１の設置場所によって一次電源の設置箇所と収納キャビネット１の設置場所とが離れていても配線可能となり、現場で背板２２に壁面取り出し口２２ａを形成する必要がなくなる。よって予めコンセント配線８０を壁面１１側に取り出すための壁面取り出し口２２ａを例えば背板２２に複数形成しておく必要がなく、台輪部領域に形成された壁面取り出し口２２ａからコンセント配線８０を壁面１１側へ配線することができる。
またこれによれば、連通開口部２１ａによってコンセント配線８０を隣合う収納キャビネット１間を跨いで這わせることができるので、ひとつの壁側取り出し口２２ａから複数のコンセント配線８０を壁面１１側へ配線することができ、２つ並べて設置された収納キャビネット１内のどこへでも配線することができる。
なお、電気機器７の配線手順及びコンセント配線８０の配線処理手順は上述の手順に限定されるものではなく、一例を説明したにすぎず、下段部４１のコンセント８を先に取り付けてもよいし、高い方の収納キャビネット１のコンセント８から取り付けてもよいことはいうまでもない。
【００３４】
以上の実施形態では、２個の構成が異なる収納キャビネット１を並列に設置してなるシステムキャビネットＳとして示しているが、本発明はこの構成に限定されるものではなく、単体の収納キャビネット１或いは３個以上で構成されるシステムキャビネットＳにも適用可能である。また高さが高い方の収納キャビネット１の扉体がある収納部内に置かれた電気機器７に接続されたコンセント８のコンセント配線処理にも適用可能である。
さらに収納キャビネット１、キャビネット本体２、カウンター３、棚板４、配線受け部６、コンセント８、ダクト部９などの形状、大きさ、構成は図例に限定されるものではない。例えば、配線受け部６の前側部６０に複数並列に切込溝部を形成し、配線受け部６に引き込んだ機器配線７０の導入部分の動きを規制するようにしてもよい。
そして収納キャビネット１は置き設置タイプのものに限定されず、吊り施工タイプのものでもよく、収納キャビネット１の前面に取り付けられる扉体５の配置も図例に限定されず、自由に配置可能に構成されたものとしてもよいことはいうまでもない。
【符号の説明】
【００３５】
１      収納キャビネット
１１      壁面
２      キャビネット本体
２１      側板
２１ａ      連通開口部
２２ａ      壁側取り出し口
２３      底板
２４      台輪部
２５      空洞スペース
７      電気機器
７０      機器配線
８      コンセント
９      ダクト部
【図１】
2010252857.tif 000003
【図２】
2010252857.tif 000004
【図３】
2010252857.tif 000005
【図４】
2010252857.tif 000006